(57)【要約】【課題】本考案は、板金加工用工具において、建造物のコーナー部などの作業困難場所におけるトタン板やアルミ板などの金属板の折り返し重なり部分を挟持圧着するのに好適な板金用横ツカミ工具を提供する。【解決手段】本考案の板金用横ツカミ工具は、第１柄部１と側方へ延長した第１返し部２とを備えた第１ハンドル３と、第２柄部４と側方へ延長した第２返し部５とを備えた第２ハンドル６と、前記第１ハンドル３と第２ハンドル６を交差状に枢着する支軸部材７とから構成され、前記側方へ延長した第１返し部２及び第２返し部４は、側方１２及び前方１３の先端断面が前方へ向かって先細りの嘴状となっている。【選択図】図１
0003153559.tif 000002
【実用新案登録請求の範囲】
【請求項１】
第１柄部と側方へ延長した第１返し部とを備えた第１ハンドルと、第２柄部と側方へ延長した第２返し部とを備えた第２ハンドルと、前記第１ハンドルと第２ハンドルを交差状に枢着する支軸部材とから構成され、前記第１ハンドルは、ほぼ水平の第１柄部から斜め下方へ下がり第１支軸部分を経て第１水平幅広部となり、引き続き上方へ立ち上がり側方へ延長した第１返し部を備え、前記第２ハンドルは、ほぼ水平の第２柄部から斜め上方へ上がり第２支軸部分を経て第２水平幅広部となり、引き続き上方へ立ち上がり側方へ延長した第２返し部を備え、前記側方へ延長した第１返し部及び第２返し部は、側方及び前方の先端断面が前方へ向かって先細りの嘴状となっていることを特徴とする板金用横ツカミ工具。
【請求項２】
前記第１ハンドルと前記第２ハンドルは、前記第１支軸部分及び第２支軸部分で支軸部材により交差状に枢着され、前記第１ハンドルと前記第２ハンドルを閉じると、前記側方へ延長した第１返し部、第２返し部同士が重なり合うようになっていることを特徴とする請求項１記載の板金用横ツカミ工具。
【請求項３】
前記第１柄部と前記側方へ延長した第１返し部との姿勢関係は角度がついており、前記第１柄部を水平にすると前記側方へ延長した第１返し部は約４５度上向きになり、逆に前記側方へ延長した第１返し部を水平にすると前記第１柄部が約４５度上向きになるという関係となっていることを特徴とする請求項１記載の板金用横ツカミ工具。
【考案の詳細な説明】
【技術分野】
【０００１】
本考案は、板金加工用工具における金属板の折り返し重なり部分を挟持圧着する板金用横ツカミ工具に関する。
【背景技術】
【０００２】
従来、板金加工、特にトタン板やアルミ板などの金属板の折り返し重なり部分を挟持圧着するために使用される工具は、通常「ツカミ」と称されている。
このような板金加工用工具として、熟練を要さずに正確な位置で板金を折曲げ可能で、作業の効率化を図ることができる板金用つかみ工具が知られている（特許文献１を参照）。
この公知技術は、各柄を開いた状態で、幅広の各返し部の間にトタン屋根等の板金を挟むことにより、板金を折り曲げてカシメ処理やハゼ加工を行うことができ、第１ハンドルの返し部の先端から柄の溝孔の後端の位置まで、前記返し部の先端からの距離に対応して目盛を有しているため、板金の縁などを折り曲げたい長さの目盛に合わせ、板金を返し部で挟んで折り曲げることにより、熟練していなくとも正確な位置で板金を折曲げ可能で、作業の効率化を図ることができる板金用つかみ工具である。
【０００３】
また、簡単な操作により支点の位置を変更でき、挟み込む力を複数段階に変更することができる金属板折返し重なり部圧着用工具が知られている（特許文献２を参照）。
この公知技術は、ボルトおよびナットによって支軸部を構成すると共に、枢着部における通孔に何れも連通部あるいは連通状とされ、それらボルト及びナットの支点位置の選択、変更が容易になるようにすると共に、鈎環と規制片との組合せ構造を採用して、簡単な操作で選択した支軸材位置を確実に固定するようにした金属板折返し重なり部圧着用工具である。
【先行技術文献】
【特許文献】
【０００４】
【特許文献１】実用新案登録第３１４２６７３号公報
【特許文献２】特開平９−２９６４８号公報
【考案の概要】
【考案が解決しようとする課題】
【０００５】
本考案は、板金加工用工具において、建造物のコーナー部などの作業困難場所におけるトタン板やアルミ板などの金属板の折り返し重なり部分を挟持圧着するのに好適な板金用横ツカミ工具を提供することを目的とする。
【課題を解決するための手段】
【０００６】
本考案の板金用横ツカミ工具は、第１柄部と側方へ延長した第１返し部とを備えた第１ハンドルと、第２柄部と側方へ延長した第２返し部とを備えた第２ハンドルと、前記第１ハンドルと第２ハンドルを交差状に枢着する支軸部材とから構成され、前記第１ハンドルは、ほぼ水平の第１柄部から斜め下方へ下がり第１支軸部分を経て第１水平幅広部となり、引き続き上方へ立ち上がり側方へ延長した第１返し部を備え、前記第２ハンドルは、ほぼ水平の第２柄部から斜め上方へ上がり第２支軸部分を経て第２水平幅広部となり、引き続き上方へ立ち上がり側方へ延長した第２返し部を備え、前記側方へ延長した第１返し部及び第２返し部は、側方及び前方の先端断面が前方へ向かって先細りの嘴状となっている。
前記第１ハンドルと前記第２ハンドルは、前記第１支軸部分及び第２支軸部分で支軸部材により交差状に枢着され、前記第１ハンドルと前記第２ハンドルを閉じると、前記側方へ延長した第１返し部、第２返し部同士が重なり合うようになっている。
前記第１柄部と前記側方へ延長した第１返し部との姿勢関係は角度がついており、前記第１柄部を水平にすると前記側方へ延長した第１返し部は約４５度上向きになり、逆に前記側方へ延長した第１返し部を水平にすると前記第１柄部が約４５度上向きになるという関係となっている。
【考案の効果】
【０００７】
本考案の板金用横ツカミ工具は、第１柄部と側方へ延長した第１返し部とを備えた第１ハンドルと、第２柄部と側方へ延長した第２返し部とを備えた第２ハンドルと、前記第１ハンドルと第２ハンドルを交差状に枢着する支軸部材とから構成され、前記第１ハンドルは、ほぼ水平の第１柄部から斜め下方へ下がり第１支軸部分を経て第１水平幅広部となり、引き続き上方へ立ち上がり側方へ延長した第１返し部を備え、前記第２ハンドルは、ほぼ水平の第２柄部から斜め上方へ上がり第２支軸部分を経て第２水平幅広部となり、引き続き上方へ立ち上がり側方へ延長した第２返し部を備え、前記側方へ延長した第１返し部及び第２返し部は、側方及び前方の先端断面が前方へ向かって先細りの嘴状となっているため、建造物のコーナー部などの作業困難場所におけるトタン板やアルミ板などの金属板の折り返し重なり部分を板金加工用工具を取換えることなく挟持圧着するのに好適な板金加工用工具である。
【図面の簡単な説明】
【０００８】
【図１】本考案の板金用横ツカミ工具の（ａ）正面図、（ｂ）右側面図である。
【図２】本考案の板金用横ツカミ工具の第１ハンドルと第２ハンドルを開いた状態の説明図である。
【図３】本考案の板金用横ツカミ工具の側方返し部の使用状態を示す斜視図である。
【図４】本考案の板金用横ツカミ工具の前方返し部の使用状態を示す斜視図である。
【考案を実施するための形態】
【０００９】
本考案の板金用横ツカミ工具の一実施例を添付図面に基づいて、以下に説明する。
図１の（ａ）正面図、（ｂ）右側面図に示すように、本考案の板金用横ツカミ工具は、第１柄部１と側方へ延長した第１返し部２とを備えた第１ハンドル３と、第２柄部４と側方へ延長した第２返し部５とを備えた第２ハンドル６と、前記第１ハンドル３と第２ハンドル６を交差状に枢着する支軸部材７とから構成される。
前記第１ハンドル３は、ほぼ水平の第１柄部１から斜め下方へ下がり第１支軸部分８を経て第１水平幅広部９となり、引き続き上方へ立ち上がり側方へ延長した第１返し部２を備えている。
前記第２ハンドル６は、ほぼ水平の第２柄部４から斜め上方へ上がり第２支軸部分１０を経て第２水平幅広部１１となり、引き続き上方へ立ち上がり側方へ延長した第２返し部４を備えている。
【００１０】
前記第１ハンドル３と前記第２ハンドル６は、前記第１支軸部分８，第２支軸部分１０で支軸部材７により交差状に枢着され、前記第１ハンドル３と前記第２ハンドル６を閉じると、前記側方へ延長した第１返し部２，第２返し部４同士が重なり合うようになっている。
前記側方へ延長した第１返し部２，第２返し部４は、側方１２及び前方１３の先端が前方へ向かって先細りの断面嘴状となっており、トタン板やアルミ板などの金属板の折り返し重なり部分を挟持圧着するのに好適な形状となっている。
また、前記第１柄部１と前記側方へ延長した第１返し部２との姿勢関係は角度がついており、図２に示すように、前記第１柄部１を水平にすると前記側方へ延長した第１返し部２は約４５度上向きになり、逆に前記側方へ延長した第１返し部２を水平にすると前記第１柄部１が約４５度上向きになるという関係となっている。
本実施例では、本考案の板金用横ツカミ工具を右利き使用の場合で説明したが、左利き使用の場合には左右対称の構造となる。
【００１１】
次に、本考案の板金用横ツカミ工具の操作動作を添付図面に基づいて、以下に説明する。
図２に示すように、第１ハンドル３と第２ハンドル６を閉じた状態から開いた状態にし、建造物のコーナー部などの作業困難場所におけるトタン板やアルミ板などの金属板の折り返し重なり部分を本考案の板金用横ツカミ工具の側方へ延長した第１返し部２，第２返し部４で挟む。
その際、正面で挟むことができない場合には、図３に示すように、板金加工用工具を取換えることなく本考案の板金用横ツカミ工具を横向きにして第１返し部２，第２返し部４の側方１２で挟み、また正面で挟むことができる場合には、図４に示すように、本考案の板金用横ツカミ工具を真直ぐにして第１返し部２，第２返し部４の前方１３で挟む。
さらに、前記側方へ延長した第１返し部２，第２返し部４は、第１柄部１，第２柄部３とは約４５度傾いた姿勢関係になっているので、第１ハンドル３と第２ハンドル６の姿勢角度を変えることにより、トタン板やアルミ板などの金属板の折り返し重なり部分を簡単に挟持することができる。
【符号の説明】
【００１２】
１  第１柄部
２  第１返し部
３  第１ハンドル
４  第２柄部
５  第２返し部
６  第２ハンドル
７  支軸部材
８  第１支軸部分
９  第１水平幅広部
１０  第２支軸部分
１１  第２水平幅広部
１２  側方
１３  前方
【図１】
0003153559.tif 000003
【図２】
0003153559.tif 000004
【図３】
0003153559.tif 000005
【図４】
0003153559.tif 000006